(57)【要約】【課題】ＩＤタグを備えたタグホルダの着脱を容易に行うことのできるパンチ金型を提供する。【解決手段】上部にＩＤタグを備えたパンチ金型であって、パンチ金型１の上面に形成した係止凹部２７内にＩＤタグ２３を埋設したタグホルダ２５を着脱可能に設け、前記タグホルダ２５を前記係止凹部２７内に固定保持するための固定具４１を備えた構成であり、パンチ金型１におけるパンチボディ５に、前記係止凹部２７から取り外したタグホルダ２５を係止可能のタグホルダ係止部を備え、前記係止凹部２７はパンチ金型１の上面に形成した径方向の溝であり、前記タグホルダ２５に埋設したＩＤタグ２３はスティック形であって当該ＩＤタグ２３の内端部は、前記パンチ金型１の上面中央付近に備えた空間部に対応して位置決めしてある。【選択図】      図１
2004337920.tif 000002
【特許請求の範囲】
【請求項１】
上部にＩＤタグを備えたパンチ金型であって、パンチ金型の上面に形成した係止凹部内にＩＤタグを埋設したタグホルダを着脱可能に設け、前記タグホルダを前記係止凹部内に固定保持するための固定具を備えた構成であることを特徴とするパンチ金型。
【請求項２】
請求項１に記載のパンチ金型において、パンチ金型におけるパンチボディに、前記係止凹部から取り外したタグホルダを係止可能のタグホルダ係止部を備えていることを特徴とするパンチ金型。
【請求項３】
請求項１又は２に記載のパンチ金型において、前記係止凹部はパンチ金型の上面に形成した径方向の溝であり、前記タグホルダに埋設したＩＤタグはスティック形であって当該ＩＤタグの内端部は、前記パンチ金型の上面に備えた空間部に対応して位置決めしてあることを特徴とするパンチ金型。
【請求項４】
請求項１，２又は３に記載のパンチ金型において、前記固定具は、パンチ金型の上部外周面に形成した周溝及び前記タグホルダの外端面に形成した係止溝に係合離脱可能の絶縁性の弾性リングよりなることを特徴とするパンチ金型。
【請求項５】
請求項１，２又は３に記載のパンチ金型において、前記固定具は、前記タグホルダに形成した係子孔を貫通してパンチ金型の上部に形成した螺子孔に螺合自在の絶縁性のネジ部材であることを特徴とするパンチ金型。
【請求項６】
パンチ金型の上部に着脱可能に装着されるタグホルダであって、スティック形のＩＤタグを埋設したタグホルダ本体の一端側に上下方向の貫通孔を備え、前記ＩＤタグの一端側が前記貫通孔の周面付近に位置していることを特徴とするタグホルダ。
【請求項７】
請求項６に記載のタグホルダにおいて、タグホルダ本体の一端側端面に、パンチ金型に備えた係止ピンが嵌入可能の長手方向の嵌合孔を備え、前記タグホルダ本体の他端側に水平方向の係止溝を備えた構成であることを特徴とするタグホルダ。
【請求項８】
請求項６又は７に記載のタグホルダにおいて、タグホルダ本体に備えた上下方向の貫通孔は、パンチ金型の上部にタグホルダを装着したときにパンチ金型に備えた流体通孔と整合する関係にある構成であることを特徴とするタグホルダ。
【請求項９】
パンチ金型の上部に着脱可能に装着されるタグホルダであって、スティック形のＩＤタグを埋設したタグホルダ本体の一端側付近に前記ＩＤタグの一端側が位置し、前記タグホルダ本体の他端側に取付穴を備えたことを特徴とするタグホルダ。
【請求項１０】
請求項９に記載のタグホルダであって、前記タグホルダ本体の他端側は拡大部に形成してあり、この拡大部の中央部に前記取付穴が形成してあることを特徴とするタグホルダ。
【発明の詳細な説明】
【０００１】
【発明の属する技術分野】
本発明は、例えばタレットパンチプレス等のごときパンチプレスに使用されるパンチ金型に係り、さらに詳細には、パンチ金型に関する各種のデータを読み書き自在のＩＤタグを備えたパンチ金型及びパンチ金型に装着されるタグホルダに関する。
【０００２】
【従来の技術】
従来、パンチプレスに装着して使用されるパンチ金型の管理の容易化を図るために、パンチ金型に関する各種のデータを読み書き可能のＩＤタグを備えたパンチ金型が開発されている（例えば特許文献１，２参照）。
【０００３】
【特許文献１】
実用新案登録第２５３３９２５号公報
【０００４】
【特許文献２】
特開平６−７９３６２号公報
【０００５】
【発明が解決しようとする課題】
特許文献１，２に記載されているように、従来は、パンチ金型におけるパンチヘッドの上面に形成した穴内に、エポキシ樹脂等によってＩＤチップを埋設固定する構成が一般的である。したがって、パンチ金型におけるパンチボディの刃部の摩耗等により研削を行うべくパンチ金型を分解して保管する場合、前記パンチボディとパンチヘッドは別体状態にあるので、組立後においてパンチボディとＩＤチップとの一致性が確保できない場合がある。
【０００６】
また、パンチ金型に対してのパンチボディの交換時にＩＤチップの交換を行う場合、パンチヘッドからのＩＤチップの取り外し作業が厄介であると共に、ＩＤチップに損傷を与えることがある等の問題がある。
【０００７】
さらに、パンチヘッドの上面に形成した穴内にＩＤチップを埋設固定した構成においては、周囲の金属の影響を受けて、リーダ／ライタとの通信距離が短くなり易いものであるという問題がある。
【０００８】
【課題を解決するための手段】
本発明は前述のごとき従来の問題に鑑みてなされたもので、本発明に係るパンチ金型は、上部にＩＤタグを備えたパンチ金型であって、パンチ金型の上面に形成した係止凹部内にＩＤタグを埋設したタグホルダを着脱可能に設け、前記タグホルダを前記係止凹部内に固定保持するための固定具を備えた構成である。
【０００９】
また本発明は、上記パンチ金型において、パンチ金型におけるパンチボディに、前記係止凹部から取り外したタグホルダを係止可能のタグホルダ係止部を備えている構成である。
【００１０】
また本発明は、上記パンチ金型において、前記係止凹部はパンチ金型の上面に形成した径方向の溝であり、前記タグホルダに埋設したＩＤタグはスティック形であって当該ＩＤタグの内端部は、前記パンチ金型の上面に備えた空間部に対応して位置決めしてある。
【００１１】
また本発明は、上記パンチ金型において、前記固定具は、パンチ金型の上部外周面に形成した周溝及び前記タグホルダの外端面に形成した係止溝に係合離脱可能の絶縁性の弾性リングよりなるものである。
【００１２】
また本発明は、上記パンチ金型において、前記固定具は、前記タグホルダに形成した係子孔を貫通してパンチ金型の上部に形成した螺子孔に螺合自在の絶縁性のネジ部材である。
【００１３】
本発明に係るタグホルダは、パンチ金型の上部に着脱可能に装着されるタグホルダであって、スティック形のＩＤタグを埋設したタグホルダ本体の一端側に上下方向の貫通孔を備え、前記ＩＤタグの一端側が前記貫通孔の周面付近に位置している構成である。
【００１４】
また本発明は、上記タグホルダにおいて、タグホルダ本体の一端側端面に、パンチ金型に備えた係止ピンが嵌入可能の長手方向の嵌合孔を備え、前記タグホルダ本体の他端側に水平方向の係止溝を備えた構成である。
【００１５】
また本発明は、上記タグホルダ本体において、タグホルダ本体に備えた上下方向の貫通孔は、パンチ金型の上部にタグホルダを装着したときにパンチ金型に備えた流体通孔と整合する関係にある構成である。
【００１６】
また本発明は、パンチ金型の上部に着脱可能に装着されるタグホルダであって、スティック形のＩＤタグを埋設したタグホルダ本体の一端側付近に前記ＩＤタグの一端側が位置し、前記タグホルダ本体の他端側に取付穴を備えた構成である。
【００１７】
また本発明は、上記タグホルダであって、前記タグホルダ本体の他端側は拡大部に形成してあり、この拡大部の中央部に前記取付穴が形成してある構成である。
【００１８】
【発明の実施の形態】
図１を参照するに、本発明の実施形態に係るパンチ金型１は、パンチプレスにおける金型ホルダ（タレットパンチプレスにおいては上部タレットが相当する、図示省略）に上下動自在に支持される円筒形状のパンチガイド３を備えており、このパンチガイド３内には、下端部に刃部５Ａを備えたパンチボディ５が上下動自在に嵌入してある。
【００１９】
上記パンチボディ５には、前記パンチガイド３に形成した上下方向のキー溝３Ａと摺動自在に係合したキー７が備えられていると共に、パンチボディ５の軸心部にはオイルミスト等の流体の流路６が形成されている。この流路６は、パンチボディ５とパンチガイド３との摺接面及び前記刃部５Ａの部分に連通して形成してある。
【００２０】
前記パンチガイド３の下端部には、前記パンチボディ５の前記刃部５Ａを囲繞してワーク（図示省略）を下型（図示省略）に対して押圧固定自在の板押え部材９が着脱可能に取付けてある。また、パンチガイド３の上部にはガイドスリーブ１１が着脱可能に取付けてある。そして、上記ガイドスリーブ１１を上下動自在に貫通したパンチドライバ１３の下端部は前記パンチボディ５の上部と螺合連結してある。したがって、前記刃部５Ａの摩耗により再研削したとき、パンチドライバ１３とパンチボディ１５との螺合関係を調整でき、前記再研削分を補正することができるものである。
【００２１】
前記パンチドライバ１３の上部に備えた大径のパンチヘッド１５と前記ガイドスリーブ１１との間には強力なストリッパースプリング１７が弾装してあり、このストリッパースプリング１７は、前記パンチヘッド１５に取付けた円筒形状の安全カバー１９によって囲繞されている。また、前記パンチドライバ１３には、前記ガイドスリーブ１１からの上方向への抜け出しを防止するための止めリング２０が下部側の外周面に取付けてあると共に、パンチドライバ１３の軸心部には前記流路６に連通した上下方向の貫通穴２１が形成してある。
【００２２】
したがって、パンチプレス（図示省略）に上下動自在に備えたストライカ（ラム）に、オイルミスト等の流体供給口を備え、上記流体供給口からオイルミスト等の噴出を行うと、前記貫通穴２１、流路６を経てパンチボディ５の先端の刃部５Ａやパンチガイド３とパンチボディ５の摺動面に対してオイルを供給することができるものである。
【００２３】
前記パンチ金型１の上面には、ＩＤタグ２３を備えたタグホルダ２５が着脱可能に取付てある。より詳細には、前記パンチヘッド１５の上面には係止凹部２７が形成してあり、この係止凹部２７に前記タグホルダ２５が着脱可能に係合してある。前記係止凹部２７は、前記パンチヘッド１５の上面に形成した径方向（放射方向）の溝に形成してある。
【００２４】
前記ＩＤタグ２３は、図２に示すように、スティック形のＩＤタグであって、樹脂製のタグホルダ本体２９内に埋設してある。前記タグホルダ本体２９は前記係止凹部２７としての前記溝の幅、深さに対応した幅、厚さであって、当該ホルダ本体２９の一端側（先端側）には、前記パンチ金型１に備えた前記貫通穴２１と対応する上下方向の貫通孔３１が形成してあり、スティック形の前記ＩＤタグ２３の一端側は上記貫通孔３１に近接した位置にある。
【００２５】
前記タグホルダ本体２９の一端側の端面には、前記パンチ金型１の前記係止凹部２７と対向して水平に備えた係止ピン３３（図１参照）が嵌入可能の嵌合孔３５が形成してある。また、前記ホルダ本体２９の他端側（基端側）の端面には係止溝３７が水平に形成してある。
【００２６】
前記係止凹部２７に前記タグホルダ２５を係合したときに、前記係止凹部２７内に前記タグホルダ２５を固定保持するための固定具が備えられている。すなわち、前記パンチヘッド１５の外周面には、前記係止凹部２７内に前記タグホルダ２５を係合したときに、タグホルダ２５に備えた前記係止溝３７と整合する周溝３９が形成してあり、この周溝３９には、前記係止溝３７に係合自在のＯリング等のごとき絶縁性の弾性リング４１が固定具として備えられている。
【００２７】
以上のごとき構成において、パンチ金型１の上面に形成した前記係止凹部２７に対してＩＤタグ２３を備えたタグホルダ２５を装着するには、前記パンチヘッド１５の外周面に形成した周溝３９に弾性リング４１を予め係合する。次に、前記タグホルダ２５の基端側を前記係止凹部２７に係合し、前記タグホルダ２５の基端側の端面に形成した前記係止溝３７に前記弾性リング４１を係合する。
【００２８】
そして、弾性リング４１の付勢力に抗してタグホルダ２５の基端面を外方向へ僅かに突出せしめた状態において、前記タグホルダ２５の先端側を係止凹部２７に係合すると、前記弾性リング４１の付勢力によってタグホルダ２５が内方向へ移動され、タグホルダ２５の先端側に形成した嵌合孔３５に、パンチ金型１側に備えた係止ピン３３が嵌合して、図１に示すように、タグホルダ２５はパンチ金型１の上面に取付けられるものである。
【００２９】
上述のように、パンチ金型１に形成した係止凹部２７にタグホルダ２５を係合した状態においては、弾性リング４１の作用によって放射方向への抜け止めが行われていると共に、嵌合孔３５に係止ピン３３が嵌合していること及び係止溝３７に前記弾性リング４１が係合していることにより、パンチ金型１の上面から上方向への抜け止めが行われているものである。
【００３０】
なお、パンチ金型１の上面からのタグホルダ２５の上方向への抜け止めを行う構成としては、前記構成に限ることなく、係止凹部２７を、断面形状が例えば鳩尾形状の溝とし、前記タグホルダ２５の断面形状を係止凹部２７の溝の断面形状に対応した形状に構成することも可能である。
【００３１】
前述のごとくパンチ金型１にタグホルダ２５を取付けた状態においては、タグホルダ２５に設けた貫通孔３１の位置はパンチドライバ１３に備えた貫通穴２１にほぼ一致しているので、パンチプレスに備えたストライカからオイルミストを供給するとき、タグホルダ２５が邪魔になるようなことはないものである。
【００３２】
さらに、前述のごとくタグホルダ２５をパンチ金型１に取付けた状態においては、ＩＤタグ２３はタグホルダ本体２９を介してパンチ金型１における金属部分から離れて水平な状態にある。そして、ＩＤタグ２３の一端側は貫通孔３１付近に位置しパンチ金型１の上面に備えた空間部に位置する態様であり、他端側は係止溝３７付近にあって、ＩＤタグ２３の両端側及び上面側の３方向がパンチ金型１における金属部分から大きく離れた状態にあるので、周囲が金属であるにも拘らず金属の影響が少なく、ＩＤタグ２３に対してデータの読み取り／書き込みを行うリーダ／ライタ（図示省略）との通信距離を大きくすることができるものである。
【００３３】
すなわち、スティック形のＩＤチップ２３の両端側及び上面側の３方側を開放した状態でもってパンチ金型１の上面にタグホルダ２５を埋設した態様に取付けるものであるから、リーダ／ライタとの通信時には、リーダ／ライタからの電波信号としての磁束がＩＤタグ２３に備えたアンテナコイルと鎖交する数を多くすることができ、通信距離を大きくすることができるものである。
【００３４】
ところで、前記構成において、例えばパンチボディ５の交換又は刃部５Ａの再研削等のために、パンチボディ５及びガイドスリーブ１１をパンチガイド３から上方向へ抜き出し、かつパンチボディ５とパンチドライバ１３の螺合を解除して管理する場合には、前記パンチヘッド１５に対してタグホルダ２５を取付ける場合の前述の動作と逆の動作を行うことにより、パンチヘッド１５からタグホルダ２５を容易に取り外すことができる。
【００３５】
そして、タグホルダ２５に備えた貫通孔３１をパンチボディ５に備えたキー７と嵌合することにより、パンチボディ５とＩＤタグ２３とを一体的に保管できる。したがって、バンチボディ５とＩＤタグ２３とを対として扱うことができ、パンチボディ５の例えば寿命管理等を確実に行うことができるものである。すなわち、換言すれば、パンチ金型１から取り外したタグホルダ２５を係止可能のタグホルダ係止部をパンチボディ５に備えた態様であるから、パンチボディ５とタグホルダ２５とを一体管理できるものである。
【００３６】
図３は、本発明の第２の実施形態に係るパンチ金型４３を示すもので前述した構成と同一機能を奏する構成部分には同一符号を符することとして、重複した説明は省略する。
【００３７】
この第２の実施形態に係るパンチ金型４３においては、パンチヘッド１５の上面に対してタグホルダを固定するための固定具としてネジ部材４５を採用した構成である。より詳細には、前記パンチヘッド１５の上面に形成した係止凹部４７は、パンチボディ１３に設けた貫通孔２１の上部開口部に連通した径方向（放射方向）の溝４９の先端部に拡大部（大径部）５１を形成した形状である。
【００３８】
スティック状のＩＤタグ２３を内装したタグホルダ５３のタグホルダ本体５５は、図４に示すように、前記溝４９に対応した外形形状のストレート部５７を備え、このストレート部５７の端部に、前記拡大部５１に対応した外形形状の拡大部５９を備えた構成である。そして、前記ストレート部５７に前記ＩＤタグ２３が内装されており、ＩＤタグ２３の一端部は前記ストレート部５７の一端部とほぼ一致してある。
【００３９】
前記ストレート部５７の他端部に設けた前記拡大部５９には、前記ネジ部材４５が貫通自在のネジ貫通孔６１が形成してある。なお、上記ネジ部材４５は適宜樹脂等の絶縁材料によって形成してある。
【００４０】
前記構成において、パンチヘッド１５の上面に形成した係止凹部４７にタグホルダ５３を係合すると、図３に示すように、タグホルダ５３の一端部は貫通穴２１の開口部（空間部）に対応して位置することとなり、ＩＤタグ２３の一端側は金属の影響を受けないように、大きく開放された状態にある。そして、樹脂製のネジ部材４５をパンチヘッド１５に設けたネジ孔６１に螺入することによってタグホルダ５３を係止凹部４７内に固定するものであるから、前記ＩＤタグ２３の他端側は金属の影響を受けないように開放された状態にある。
【００４１】
すなわち、第２の実施形態においても、パンチヘッド１５の上面に水平に取付けたＩＤタグ２３の両端側及び上部側の３方側が金属の影響を受けないように大きく開放された状態にあるから、前述した第１の実施形態と同様に、リーダ／ライタとの通信距離を大きくすることができるものである。
【００４２】
ところで、パンチ金型４３を分解したときには、パンチヘッド１５から取り外したタグホルダ５３及びネジ部材４５をパンチボディ５と一体的に保管管理するために、タグホルダ係止部の一例として、パンチボディ５には、前記ネジ部材４５を螺入可能のネジ孔６３が形成してある。したがって、タグホルダ５３をネジ部材４５によってパンチボディ５に取付けておくことができ、一体管理を行うことができるものである。
【００４３】
【発明の効果】
以上のごとき説明より理解されるように、本発明によれば、ＩＤタグを備えたタグホルダをパンチ金型に対して容易に着脱することができ、前述したごとき従来の問題を解消し得るものである。
【図面の簡単な説明】
【図１】本発明の第一実施形態に係るパンチ金型の説明図である。
【図２】本発明の第一実施形態に係るタグホルダの説明図である。
【図３】第二実施形態に係るパンチ金型の説明図である。
【図４】第二実施形態に係るタグホルダの説明図である。
【符号の説明】
１  パンチ金型
５  パンチボディ
１３  パンチドライバ
１５  パンチヘッド
２３  ＩＤタグ
２５  タグホルダ
２７  係止凹部
２９  タグホルダ本体
３１  貫通孔
３５  嵌合孔
３７  係止溝
４１  弾性リング
４３  パンチ金型
４５  ネジ部材
４７  係止凹部
４９  溝
５１  拡大部（大径部）
５３  タグホルダ
５５  タグホルダ本体
【図１】
2004337920.tif 000003
【図２】
2004337920.tif 000004
【図３】
2004337920.tif 000005
【図４】
2004337920.tif 000006